(57)【要約】      （修正有）【課題】液晶画面等に保護フィルムを貼り付ける際の埃除去と位置設定を容易にする粘着セパレータ付きフィルムを提供する。【解決手段】保護フィルム１の粘着層面に分割したセパレータ２，３を貼り、セパレータ２，３の裏面にも粘着層を設ける事で、保護フィルム１を貼り付ける際の埃除去を解決し、また貼り付け位置の設定を容易に行う。【選択図】図６
0003141815.tif 000002
【実用新案登録請求の範囲】
【請求項１】
粘着材付きフィルムと片面粘着材付きセパレータと剥離シートから構成され、フィルムの粘着面にセパレータの非粘着面を貼り、セパレータの粘着面に剥離シートを貼った事を特徴とするセパレータ付きフィルム
【請求項２】
請求項１に於いて片面粘着材付きセパレータを分割したことを特徴とするセパレータ付きフィルム
【請求項３】
請求項１に於いて片面粘着材付きセパレータの一部を剥離のためにフィルムよりも大きく形成したことを特徴とするセパレータ付きフィルム
【請求項４】
請求項１に於いて片面粘着材付きセパレータと剥離シートを分割したことを特徴とするセパレータ付きフィルム
【請求項５】
片面粘着材付きセパレータを被着面の位置決めガイドとなる形状に形成したことを特徴とする請求項１、２または３いずれかに記載のセパレータ付きフィルム
【請求項６】
片面粘着材付きセパレータに被着面の位置決めガイドとなる印刷を加えたことを特徴とする請求項１、２または３いずれかに記載のセパレータ付きフィルム
【考案の詳細な説明】
【技術分野】
【０００１】  本考案は、液晶画面等を保護する保護フィルムとセパレータに関する物である。
【背景技術】
【０００２】  従来の技術思想では、液晶画面等を保護する目的で使用者が保護フィルムを貼り付ける場合、液晶画面の埃を除去し保護フィルムから剥離シートを剥がし、液晶画面の大きさに合わせて正確に貼り付ける作業が必要であったが、埃除去と位置設定が困難であった。
【考案の開示】
【考案が解決しようとする課題】
【０００３】  本考案は、液晶画面等に保護フィルムを貼り付ける際の埃除去と位置設定を容易にすることを課題とする。
【課題を解決するための手段】
【０００４】  本考案は保護フィルムの粘着層面に分割したセパレータを貼り、該セパレータの裏面にも粘着層を設ける事で、保護フィルムを貼り付ける際の埃除去を解決し、また貼り付け位置の設定を容易に行うという課題を解決する。
【考案の効果】
【０００５】  上記のように本考案の保護フィルムとセパレータはセパレータにも粘着層が設けられている。従ってセパレータの粘着層には剥離シートが貼られ、３層のフィルム構造になっている。使用者は分割された最下層の剥離シートを一部剥がし、粘着材付きセパレータを液晶画面等に位置設定しながら貼り付ける。一度に全面に貼る必要がないので、この段階で貼り付け位置を調整しながら作業する。次に最下層の剥離シートの残りを剥がす。こうして貼り終えた粘着材付きセパレータにも切れ目が入れてあるので、さらに粘着材付きセパレータを保護フィルムから一部剥がす。このとき埃は該セパレータの粘着層面に付着して除去される。次に残った粘着材付きセパレータを保護フィルムから剥がす。半分又は一部を残しながらの作業になり保護フィルムと液晶画面の位置関係は保たれる。このように保護フィルムと剥離シートの間に粘着材付きセパレータを加えることで、保護フィルム貼り付け時の埃付着を防止し、また容易に正確な位置決めを行うことが可能になる。
【考案を実施するための最良の形態】
【０００６】  保護フィルムの粘着層面に貼る粘着材付きセパレータを該保護フィルムより一部又は全体を大きく作る。粘着材付きセパレータは該保護フィルムに粘着される面と反対の面に粘着層を設ける。粘着材付きセパレータの中央付近に切れ目を入れて分離可能にするか複数枚に分割して粘着材付きセパレータを形成する。剥離シートは粘着材付きセパレータより一部又は全体を大きくし剥離しやすい形状に形成する。
【実施例】
【０００７】  以下、添付図面に基づいて実施例を説明する。
図１は本考案の粘着セパレータ付き保護フィルムの断面図である。１は保護フィルム、１ａは粘着層、２及び３はセパレータ、２ａ及び３ａはセパレータの粘着層を示す。４は該粘着材付きセパレータの分離部分を示す。５はセパレータの粘着面に貼る剥離シートを示す。【０００８】  図２は保護フィルムと粘着材付きセパレータと剥離シートの構成を示す平面図である。図３は保護フィルムと同じ大きさの粘着材付きセパレータ、剥離シートとし、一部をそれぞれの剥離の為のガイドとして外側に張り出した形状の断面図である。２ｂ、３ｂ、５ｂ、６ｂはそれぞれガイドを示す。実施例では剥離シートも分割して、剥離が容易に出来る形態にある。４，７はセパレータと剥離シートのそれぞれの分離部分を示す。【０００９】  図４は図３の実施例の平面図である。セパレータを剥がす位置が明確になり、また液晶画面への位置決めも正確に行える。【００１０】  図５は保護フィルムを液晶画面に貼るために剥離シート５，６を剥がし、粘着材付きセパレータ２、３の粘着面を液晶画面に貼着した状態を示す断面図である。この状態で保護フィルムと保護される液晶画面の位置関係を微調整する。埃が液晶画面上に多少残っていても問題にならない。【００１１】  図６は保護フィルム１から粘着材付きセパレータ２を剥がしている状態の断面図である。保護フィルム１は粘着材付きセパレータ３を介して半面が液晶画面に粘着しているため該液晶画面との位置関係は保たれている。粘着材付きセパレータ２が保護フィルム１と液晶画面９から剥がされる際、液晶画面９の表面の埃は粘着層２ａに粘着され移動する。【００１２】  図７は保護フィルム１の半面が液晶画面上に貼着された状態を示す。この状態で粘着材付きセパレータ３は該液晶画面上にまだ残っている。図８は粘着材付きセパレータ３を剥がしている状態を示す。図９は粘着材付きセパレータ２及び３が完全に剥がされ、保護フィルム１が液晶画面上に貼着された仕上がり状態の断面である。【００１３】  図１０は保護フィルム１から粘着材付きセパレータ２を剥がしている状態の俯瞰図である。
【図面の簡単な説明】
【００１３】
【図１】粘着セパレータ付き保護フィルムの断面図である。
【図２】粘着セパレータ付き保護フィルムの平面図である。
【図３】ガイド付き粘着セパレータ付き保護フィルムの断面図である。
【図４】ガイド付き粘着セパレータ付き保護フィルムの平面図である。
【図５】保護フィルムを貼着する方法の断面図である。
【図６】保護フィルムを貼着する方法の断面図である。
【図７】保護フィルムを貼着する方法の断面図である。
【図８】保護フィルムを貼着する方法の断面図である。
【図９】保護フィルムを貼着する方法の断面図である。
【図１０】保護フィルムを貼着する方法の俯瞰図である。
【符号の説明】
【００１３】１保護フィルム
２粘着材付きセパレータ
３粘着材付きセパレータ
４分離部
５剥離シート
６剥離シート
【図１】
0003141815.tif 000003
【図２】
0003141815.tif 000004
【図３】
0003141815.tif 000005
【図４】
0003141815.tif 000006
【図５】
0003141815.tif 000007
【図６】
0003141815.tif 000008
【図７】
0003141815.tif 000009
【図８】
0003141815.tif 000010
【図９】
0003141815.tif 000011
【図１０】
0003141815.tif 000012